(57)【要約】【課題】コンパクト化を損なうことなく、絶縁性の優れた電動モータを提供する。【解決手段】ブラシホルダユニット８の他端側面に、コンミテータ６の外周面に摺接するブラシ１２、１３を保持するブラシ保持部を設けるにあたり、ブラシホルダユニット８にインサートモールドされるターミナルプレート１０、１１を、ブラシ保持部に露出させるとともに、該露出部の内径側端面１０ｃ、１１ｃをブラシホルダユニット８の貫通孔８ａの内周面に露出させ、ブラシホルダユニット８の貫通孔８ａに、内径側端面１０ｃ、１１ｃとブラケット７側との沿面距離を確保する沿面距離確保手段としてテーパ面８ｈを形成する。【選択図】図１
2010288384.tif 000002
【特許請求の範囲】
【請求項１】
ヨークと、ヨークに収容されるアーマチュアと、ヨークの一端部に固定され、アーマチュアを構成するアーマチュア軸の一端部を回転自在に支持する軸承部を備えたブラケットと、ブラケットの他端側に積層状に設けられ、アーマチュア軸のコンミテータ配設部を外嵌する貫通孔が開設された絶縁性樹脂製のブラシホルダユニットとを備えてなる回転電機において、前記ブラシホルダユニットの他端側面に、コンミテータの外周面に摺接するブラシを保持するブラシ保持部を設けるにあたり、ブラシホルダユニットにインサートモールドされるターミナルプレートを、ブラシ保持部に露出させるとともに、該露出部の内径側端面をブラシホルダユニットの貫通孔の内周面に露出させ、ブラシホルダユニットの貫通孔部位に、貫通孔に露出する内径側端面とブラケット側との沿面距離を確保する沿面距離確保手段を設けたことを特徴とする回転電機。
【請求項２】
沿面距離確保手段は、貫通孔の内周面に、一端側ほど外径側に偏寄するテーパ面を形成することにより構成されている請求項１に記載の回転電機。
【請求項３】
沿面距離確保手段は、貫通孔の内周面に、ターミナルプレートの内径側端面を板厚方向中間部まで覆蓋する延出片を形成することにより構成されている請求項１に記載の回転電機。
【請求項４】
ブラケットは、他端側面にブラシホルダユニットの貫通孔よりも小径となる溝側片を有した凹部が形成されている請求項１乃至３に記載の回転電機。
【発明の詳細な説明】
【技術分野】
【０００１】
本発明は、車両に搭載される電装品等に設けられる回転電機の技術分野に関するものである。
【背景技術】
【０００２】
一般に、回転電機のなかには、特許文献１に示すように、アーマチュアを構成するアーマチュア軸の一端部が、筒状のヨークの一端部に固定される金属製のブラケットに回転自在に支持されるように構成されたものがあり、このような回転電機がブラシ式の電動モータである場合、前記ブラケットの他端側に、絶縁性樹脂材で形成され、アーマチュア軸のコンミテータ配設部を外嵌する貫通孔が開設されたブラシホルダユニットを積層状に設けて、該ブラシホルダユニットの他端側面に形成される周回り方向複数のブラシ保持部にブラシをそれぞれ径方向摺動自在に収容し、これらブラシの内径側先端側面がコンミテータの外周面に弾圧状に当接するように構成したものがある。
一方、特許文献２に示すように、ヨーク開口端部に設けられるブラケットを樹脂製とし、該ブラケットにアーマチュア軸のコンミテータ配設部を外嵌する貫通孔を形成する一方、ブラシ保持部を一体的に形成し、該ブラシ保持部にターミナルプレートをインサートモールドして一方の面を露出させ、該露出するターミナルプレート面上をブラシが径方向に摺動するように構成したものが提唱されており、このものでは、ブラシの径方向の摺動が損なわれることを防止するため、ターミナルプレートを内径側に延出し、内径側端面が、ブラケットの貫通孔の内周面から露出するようように構成している。
【先行技術文献】
【特許文献】
【０００３】
【特許文献１】特開２００３−２６４９６０号公報
【特許文献２】特開２００４−２２２４５４号公報
【発明の概要】
【発明が解決しようとする課題】
【０００４】
ところで、特許文献２において、ブラケットにはブラシ保持部に隣接してアーマチュア軸を軸承する軸受け部材が設けられており、貫通孔から露出するターミナルプレートの内径側端面と金属製の軸受け部材とが近接した位置関係で配設されている。このため、ブラシがコンミテータに弾圧状に摺接することにより発生する摩耗粉が、内径側端面と軸受け部材との間に蓄積して絶縁劣化を生じることが想定され、これらの間を確実に絶縁することが要求される。また、特許文献１において、特許文献２のようにターミナルプレートの内径側端面をブラシホルダユニットの貫通孔から露出するように設けた場合では、金属製の軸受け部材との絶縁だけでなく、金属製のブラケットとの絶縁についても確実になるようにすることが要求される。これに対処する一手段として、ターミナルプレートの内径側端面と軸受け部材との間隔を大きくして空間距離を確保することが提唱されるが、このようにした場合ではコンパクト化が損なわれるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ヨークと、ヨークに収容されるアーマチュアと、ヨークの一端部に固定され、アーマチュアを構成するアーマチュア軸の一端部を回転自在に支持する軸承部を備えたブラケットと、ブラケットの他端側に積層状に設けられ、アーマチュア軸のコンミテータ配設部を外嵌する貫通孔が開設された絶縁性樹脂製のブラシホルダユニットとを備えてなる回転電機において、前記ブラシホルダユニットの他端側面に、コンミテータの外周面に摺接するブラシを保持するブラシ保持部を設けるにあたり、ブラシホルダユニットにインサートモールドされるターミナルプレートを、ブラシ保持部に露出させるとともに、該露出部の内径側端面をブラシホルダユニットの貫通孔の内周面に露出させ、ブラシホルダユニットの貫通孔部位に、貫通孔に露出する内径側端面とブラケット側との沿面距離を確保する沿面距離確保手段を設けたことを特徴とする回転電機である。
請求項２の発明において、沿面距離確保手段は、貫通孔の内周面に、一端側ほど外径側に偏寄するテーパ面を形成することにより構成されている請求項１に記載の回転電機である。
請求項３の発明において、沿面距離確保手段は、貫通孔の内周面に、ターミナルプレートの内径側端面を板厚方向中間部まで覆蓋する延出片を形成することにより構成されている請求項１に記載の回転電機である。
請求項４野発明において、ブラケットは、他端側面にブラシホルダユニットの貫通孔よりも小径となる溝側片を有した凹部が形成されている請求項１乃至３に記載の回転電機である。
【発明の効果】
【０００６】
請求項１の発明とすることにより、コンパクト化を損なうことなく絶縁性能を向上させることができる。
請求項２、３の発明とすることにより、簡単な構成で絶縁性能を向上させることができる。
請求項４の発明とすることにより、摩耗粉を凹部に誘導できて、絶縁性能の一層の向上を図ることができる。
【図面の簡単な説明】
【０００７】
【図１】図１（Ａ）、（Ｂ）はそれぞれ電動モータの正面断面図、側面図である。
【図２】図２（Ａ）、（Ｂ）はそれぞれブラケットの側面図、図２（Ａ）のＸ−Ｘ断面図である。
【図３】図３（Ａ）、（Ｂ）、（Ｃ）はそれぞれブラシホルダユニットの側面図、側面図、図３（Ａ）のＸ−Ｘ断面図である。
【図４】図４（Ａ）、（Ｂ）はそれぞれブラケットにブラシホルダユニットを組込んだ状態の側面図、図４（Ａ）のＸ−Ｘ断面図である。
【図５】図５（Ａ）、（Ｂ）、（Ｃ）はそれぞれ第二の実施の形態におけるブラシホルダユニットの側面図、側面図、図５（Ａ）のＸ−Ｘ断面図である。
【図６】図６（Ａ）、（Ｂ）はそれぞれ第二の実施の形態においてブラケットにブラシホルダユニットを組込んだ状態の側面図、図６（Ａ）のＸ−Ｘ断面図である。
【発明を実施するための形態】
【０００８】
以下、本発明の実施の形態について、図面に基づいて説明する。
図１において、１は例えば乗用車等に装備される電動パワーステアリング装置を構成する電動モータであって、該電動モータ１は、有底筒状のヨーク２を備えて構成されている。前記ヨーク２は金属材で形成されており、筒状の本体筒部２ａの筒軸方向（軸芯方向）一端部側が開口し、他端部側に底部２ｂが形成され、該底部２ｂの小径筒部２ｃに軸受け部材（ベアリング）２ｄが介装されている。また、ヨーク本体筒部２ａの前記開口側の一端部には、外径側に突出するフランジ部２ｅが一体形成されており、該フランジ部２ｅには、周回り方向二箇所に位置して外径側に延出する固定片２ｆが突出形成されている。そして、ヨーク本体筒部２ａの内周面には、一対の永久磁石３が一体的に固着されている。
【０００９】
４はヨーク２に内装されるアーマチュアであって、該アーマチュア４は、図１に示すように、アーマチュア軸（モータ軸）５と、該アーマチュア軸５に軸芯方向積層状に外嵌する複数のコア材４ａと、該積層されたコア材４ａの外周に巻線４ｂを巻装することにより形成される複数のコイル４ｃとを備えて構成されている。また、アーマチュア軸５の一端部５ａ側にはコンミテータ６が外嵌状に固着されており、コンミテータ６の外周面に設けられた周回り方向複数の整流子片６ａに、前記複数のコイル４ｃから引出された巻線４ｂがそれぞれ電気的に接続されている。そして、アーマチュア４は、モータ軸５の他端部５ｂがヨーク底部２ｂの小径筒部２ｃに配された軸受け部材２ｄに回転自在に支持されている。
【００１０】
一方、前記ヨーク２の一端部には、ヨーク２の開口を覆蓋するようにブラケット７が設けられており、該ブラケット７の軸芯部に設けられた貫通孔７ａに設けられた軸受け部材（ベアリング）７ｂに、モータ軸５の一端部５ａが回転自在に支持されるように構成されている。さらに、ブラケット７の他端側には、後述するように、ブラシホルダユニット８が積層状に組込まれるが、該ブラシホルダユニット８は、モータ軸５のコンミテータ６配設部に対向する部位に位置して設けられている。
【００１１】
前記ブラシホルダユニット８は絶縁性樹脂材を用いて構成されており、コンミテータ６の外径よりも大径に設定され、モータ軸５のコンミテータ６配設部が遊嵌状に貫通する貫通孔８ａが形成されたリング状のプレート体で構成される本体部８ｂと、該本体部８ｂの外周縁部から他端側（ヨーク底部２ｂ側）に向けて突出し、ヨーク本体筒部２ａの開口端に内嵌する（インロー嵌合する）他端側突出片８ｃが、周回り方向に適宜間隔を存して形成されている。
【００１２】
そして、ブラシホルダユニット８の本体部８ｂの他端側面には、周回り方向所定の角度間隔（９０度）を存することで四箇所に位置して、金属製板材により構成されたブラシ保持体９がそれぞれ固定されており、これらブラシ保持体９の配設部位が本発明のブラシ保持部に相当している。
一方、本体部８ｂには、＋、−極となるターミナルプレート１０、１１がインサートモールドされており、これら各ターミナルプレート１０、１１は、ブラシホルダユニット本体部８ｂから外径側に突出形成される端子引出し部８ｄに露出する外部引出部（図示せず）を備えて構成されている。前記端子引出し部８ｄには、図示しない外部コネクタが接続されるように構成されており、外部コネクタを介して各ターミナルプレート１０、１１に対応する外部電源が供給されるように構成されている。
【００１３】
また、ブラシホルダユニット８の本体部８ｂは所定の板厚を有して形成されており、ターミナルプレート１０、１１を基準として他端側面の周回り方向四箇所のブラシ保持部には、四角形状の他端側露出孔８ｅを介して＋または−の何れか一方のターミナルプレート１０または１１が、ブラシ当接部１０ａ、１１ａとして露出している。これによって、各ブラシ保持部は、それぞれ金属製のブラシ保持体９とブラシ当接部１０ａまたは１１ａ、さらには、本体部８ｂから他端側に向けて突出形成された他端側突出片８ｃにより囲繞され、内径側端部が開口し、放射方向に延出する収容室（ブラシ保持部）を構成しており、これら各収容室に、＋極、または、−極となるブラシ１２、１３と、該ブラシ１２、１３を内径側に付勢する付勢弾機１２ａ、１３ａとがそれぞれ径方向移動自在に収容されている。そして、各ブラシ１２、１３の内径側端面は、付勢弾機１２ａ、１３ａの付勢力を受けてコンミテータ６外周面の整流子片６ａに弾圧状に摺接するように構成されている。
【００１４】
さらに、本体部８ｂの他端側面には、各ブラシ当接部１０ａ、１１ａに周回り方向に隣接する部位に位置し、前記ブラシ当接部１０ａ、１１ａに対応するターミナルプレート１０または１１が、円形状露出孔８ｆを介してピグテール接続部１０ｂ、１１ｂとして露出している。これら各ピグテール接続部１０ｂ、１１ｂは、対応する収容室に保持されたブラシ１２、１３の他端側面から引き出されたピグテール１２ｂ、１３ｂが溶着等の手段により電気的に接続されるように構成されている。これによって、ターミナルプレート１０、１１に端子引出し部８ｄを介して外部電源が供給された場合に、ブラシ１２、１３、コンミテータ６の整流子片６ａを経由して各コイル４ｃに電源供給がなされ、アーマチュア４が回転するように構成されている。
これに対し、本体部８ｂの一端側面には、ターミナルプレート１０、１１のブラシ当接部１０ａ、１１ａに対向して内径部位を残す状態の四角形状の一端側露出孔８ｇが形成されており、該一端側露出孔８ｇを介してブラシ当接部１０ａ、１１ａが露出している。さらに、本体部８ｂ端側面のピグテール接続部１０ｂ、１１ｂ対向部位には、他端側面と同様の円形状露出孔８ｆが形成されおり、該円形状露出孔８ｆを介してピグテール接続部１０ｂ、１１ｂが露出している。
【００１５】
そして、本体部８ｂ他端側面の各ブラシ保持部に形成される他端側露出孔８ｅは、本体部８ｂに開設される貫通孔８ａに至る状態で形成され、該他端側露出孔８ｅから露出するターミナルプレート１０、１１であるブラシ当接部１０ａ、１１ａのは貫通孔８ａに至るよう径方向に長く形成されていて、ブラシ当接部１０ａ、１１ｂの内径側端面１０ｃ、１１ｃが貫通孔８ａの内周面と面一状になって露出するように構成されている。このとき、本体部８ｂ一端側面に形成される一端側露出孔８ｇは貫通孔８ａの近傍部位を残した状態で形成されていて、ターミナルプレート１０、１１のブラシ当接部１０ａ、１１ｂには、貫通孔８ａの近傍部位が一端側に積層する状態となっている。そして、本体部８ｂの貫通孔８ａの内周面には、一端側（ブラケット７側）ほど外径側に偏寄するテーパ面８ｈが形成されていて、貫通孔８ａの他端側から一端側に至る距離が、直線的に形成される貫通孔よりも長くなるように構成されている。
尚、ブラシホルダユニット８は、本体部８ｂ外周の周回り方向二箇所から外径側に突出し、取付け孔８ｉが開設された取付け片８ｊが形成されているとともに、本体部８ｂ一端側面の外径側部位から一端側に向けて突出し、ブラケット７に対して径方向の位置決めをする位置決め突片８ｋがリング状に突出形成されている。
【００１６】
一方、前記ブラケット７は、ブラシホルダユニット８を内装するべく他端側が開口する円形状の凹部７ｃを備えて構成されており、該凹部７ｃを構成する溝底片７ｄの軸芯部に前述したように貫通孔７ａが形成され、該貫通孔７ａに設けられた軸受け部材７ｂを介してアーマチュア軸５の一端部５ａを回転自在に支持するように構成されている。さらに、前記凹部７ｃの外径部位となる外周片部７ｅには、ブラシホルダユニット８の端子引出し部８ｄを内装し、端子引出し部８ｄの外径側端部を外部に露出せしめる端子引出し部用凹部７ｆと、ブラシホルダユニット８の取付け片８ｊを内装する取付け片用凹部７ｇとが、前記凹部７ｃと連通するように形成されている。
そして、ブラシ１２、１３等の必要な部材が組込まれ、かつ、電気的な接続がなされた状態のブラシホルダユニット８は、ブラケット７の凹部７ｃに組込まれるが、この場合に、凹部７ｃ内周面には他端側突出片７ｈが周回り方向に複数形成されており、これら他端側突出片７ｈの間に、ブラシホルダユニット８の他端側突出片８ｃを位置させるとともに、ブラシホルダユニット８の端子引出し部８ｄと取付け片８ｊとを、ブラケット７の端子引出し部用凹部７ｆと取付け片用凹部７ｇとにそれぞれ位置合わせすることにより、周回り方向の位置決めができるように構成されている。また、凹部７ｃの溝底片７ｄには、ブラシホルダユニット８の一端側面に形成された位置決め突片８ｋに対向してリング状の位置決め凹部７ｉ（本発明の凹部に相当する）が形成されており、位置決め突片８ｋの外周面を位置決め凹部７ｉの外径側の溝側片に沿って組込むことにより、ブラケット７とブラシホルダユニット８との径方向の位置決めがなされるように構成されている。
【００１７】
そして、ブラケット７とブラシホルダユニット８との前記組込み状態において、図４（Ｂ）に示すように、ブラシホルダユニット本体部８ｂにインサートモールドされたターミナルプレート１０、１１と、ブラケット７、および、ブラケット７に設けられる軸受け部材７ｂとは近接した状態となっている。このとき、ターミナルプレート１０、１１の一端側面に形成される各露出孔８ｆ、８ｇから露出するブラシ当接部１０ａ、１１ａ、ピグテール接続部１０ｂ、１１ｂに対し、ブラケット７、軸受け部材７ｂとは、ターミナルプレート１０、１１を基準としてブラシホルダユニット本体部８ｂの一端側の板厚Ｔに相当する空間距離と、露出孔８ｆ、８ｇの内周面を絶縁材とする沿面距離を確保することにより絶縁がなされている。これに対し、本体部８ｂの貫通孔８ａから露出するブラシ当接部１０ａ、１１ａの内径側端面１０ｃ、１１ｃについても、前記貫通孔８ａの一端側板厚に基づく空間距離と、貫通孔８ａの内周面を絶縁材とする沿面距離とに基づいて、ブラケット７と軸受け部材７ｂとに対して絶縁されている。ところが、本体部８ｂの貫通孔８ａ部位では、ブラシ１２がコンミテータ６に摺接することによりブラシ１２、１３の摩耗粉が蓄積する可能性があり、該貫通孔８ａ近傍部位における絶縁は、前記各露出孔８ｆ、８ｇ部位における絶縁よりも一層確実な絶縁が必要となる。そして、本実施の形態では、貫通孔８ａ内周面の一端側部位に、一端側ほど大径となるテーパ面８ｈを形成することによる沿面距離確保手段が設けられていて、内径側端面１０ｃ、１１ｃとブラケット７および軸受け部材７ｂ（ブラケット側）との沿面距離が長く確保されるように構成されている。これによって、ブラシ当接部１０ａ、１１ａの内径側端面１０ｃ、１１ｃとブラケット７、軸受け部材７ｂとの間の確実な絶縁が実現されるように構成されている。
【００１８】
一方、ブラケット７の位置決め凹部７ｉの内径側の溝側片７ｊは、他端側ほど小径なテーパ面に形成されているとともに、開口側の端縁部は、ブラシホルダユニット８の貫通孔８ａの孔径よりも小径となるように形成されている。これによって、コンミテータ６との摺接によりブラシ１２、１３の摩耗粉が発生した場合に、該摩耗粉を貫通孔８ａの内周面（テーパ面８ｈ）がガイドする状態で位置決め凹部７ｉ側に誘導することができて、ブラシ当接部１０ａ、１１ａの内径側端面１０ｃ、１１ｃとブラケット７や軸受け部材７ｂとの間となる貫通孔８ａの内周面部位に摩耗粉が蓄積することを防止することができ、もって、ブラシ当接部１０ａ、１１ａの内径側端面１０ｃ、１１ｃとブラケット７、軸受け部材７ｂとの間の絶縁が一層確実になるように構成されている。
【００１９】
尚、ブラシホルダユニット８が組込まれたブラケット７は、外周片部７ｅをヨーク２のフランジ部２ｅに突当て、ブラケット７の取付け片用凹部７ｇに嵌入するブラシホルダユニット８の取付け片８ｊと、ヨーク２の固定片２ｆとを位置合わせし、固定片２ｆ、取付け片８ｊにそれぞれ開設されて互いに連通する取付け孔２ｇ、８ｉを挿通する固定螺子１４の先端を、取付け片用凹部７ｇに形成された螺子孔７ｋに螺合して緊締することにより、ヨーク２とブラシホルダユニット８とブラケット７とが一体に固定されるように構成されている。このような固定手法を採用することにより、ブラシホルダユニット８をブラケット７に予め固定する等の固定作業をすることなく、一回の固定作業でブラシホルダユニット８をヨーク２とブラケット７との間に固定する状態で一体化することができ、構成の簡略化が図れるように構成されている。
【００２０】
叙述の如く構成された本形態において、電動モータ１を構成する絶縁性樹脂製のブラシホルダユニット８は、リング状のプレート体でに形成される本体部８ｂにターミナルプレート１０、１１がインサートモールドされており、ブラシ保持部に露出するブラシ当接部１０ａ、１１ａは、内径側端面１０ｃ、１１ｃがブラシホルダユニット本体部８ｂの貫通孔８ａに露出する状態で設けられていて、ブラシ１２、１３の径方向の移動が円滑になされるようにしている。そして、ターミナルプレート１０、１１とブラシホルダユニット８の他端側に配される金属製のブラケット７や、該ブラケット７に固定される金属製の軸受け部材７ｂとの絶縁は、ターミナルプレート１０、１１を基準とする本体部８ｂの一端側の板厚Ｔに基づいてなされることになるが、この場合に、本体部８ｂの貫通孔８ａに露出するターミナルプレート１０、１１のブラシ当接部１０ａ、１１ａの内径側端面１０ｃ、１１ｃと、ブラケット７や軸受け部材７ｂとの間は、ブラシ１２、１３の摩耗粉が蓄積することが想定されるため、絶縁性能の向上が望まれるが、このものでは、これらの対向間隔を大きくして空間距離を大きくするのではなく、貫通孔８ａに沿面距離確保手段を設けることにより対応したので、コンパクト化を損なうことなく絶縁性能を向上させることが可能となる。
【００２１】
このように、本発明が実施されたものにあっては、ブラシホルダユニット８の貫通孔８ａの内周面から露出するターミナルプレート１０、１１の内径側端面とブラケット７や軸受け部材との沿面距離を確保する手段を貫通孔８ａに設ける構成としているが、沿面距離確保手段は、貫通孔８ａの内周面にテーパ面８ｈを形成することにより構成したので、格別な部材を設ける必要がなく、しかも、簡単な構成とすることができて、コスト低下に寄与できる。
【００２２】
さらに、このものにおいて、ブラケット７のブラシホルダユニット８配設側（他端側）の面にリング状の位置決め凹部７ｉが形成されており、該位置決め凹部７ｉの内径側溝側片７ｊは、貫通孔８ａの内径よりも小径となる開口端縁を有しているため、ブラシ当接部１０ａ、１１ａの内径側端面１０ｃ、１１ｃ部位で発生するブラシ１２、１３の摩耗粉を、貫通孔８ａの内周面であるテーパ面８ｈに沿って位置決め凹部７ｉの溝底側に誘導することができて、ブラシ１２、１３の摩耗粉が貫通孔８ａの内周面部位に蓄積することがなく、絶縁性能の一層の向上を図ることができる。
【００２３】
尚、本発明は前期実施の形態に限定されないことは勿論であって、図５、６に示す第二の実施の形態のようにすることも可能である。
前記第二の実施の形態において、ブラシホルダ１５、ブラケット１６の基本構成、ならびに、他の構成部材は前記第一の実施の形態と同様であり、同様の構成部材については、同様の符号を付すことで説明を省略する。
前記ブラシホルダ１５は、貫通孔１５ａが開設され、リング状のプレート体に構成された本体部１５本体部１５ｂにターミナルプレート１０、１１がインサートモールドされており、本体部１５ｂの他端側面に形成されるブラシ保持部に、ブラシ当接部１０ａ、１１ａが露出している。そして、前記ブラシ当接部１０ａ、１１ａの内径側端面１０ｃ、１１ｃは、本体部１５ｂの貫通孔１５ａから露出しているが、本実施の形態では、内径側端面１０ｃ、１１ｃのブラケット１６側の半部である一端側半部を覆う延出片１５ｃが形成されている。つまり、貫通孔１５ａの内径は、ブラシ当接部１０ａ、１１ａの内径よりも僅かに小径に設定されており、該貫通孔１５ａの内径部位において、ブラシ当接部１０ａ、１１ａの一端側の半部を埋設する延出片１５ｃが成形されている。これによって、ブラシ当接部１０ａ、１１ａの貫通孔１５ａから露出する面積を少なくすることができるとともに、該貫通孔１５ａに露出する内径側端面１０ｃ、１１ｃと、ブラケット１６およびブラケット１６に設けられる軸受け部材１６ａ（ブラケット側）との沿面距離を長くすることができて、ブラシ当接部１０ａ、１１ａの内径側部位における絶縁性の向上が図れるように構成されており、該構成が第二の実施の形態における沿面距離確保手段となっている。
そして、このものでも、前記第一の実施の形態と同様に、絶縁性の向上を図れるものでありながら、空間距離、即ち、ターミナルプレート１０、１１とブラケット１６との間の距離を大きくすることがなく、コンパクト化が損なわれることがないうえ、簡単な構成とすることができる。
【００２４】
尚、第二の実施の形態において、ブラシホルダユニット１５の一端側面に位置決め突片１５ｄが形成され、該位置決め突片１５ｄがブラケット１６に形成される位置決め凹部１６ａに嵌入することで、径方向の位置決めをするように構成されるが、第二の実施の形態の位置決め凹部１６ａは径方向の溝幅が狭く、内径側の溝側片１６ｂが貫通孔１５ａの孔径よりも大径となっているが、前記第一の実施の形態のように径方向の溝幅を広く確保して、貫通孔１５ａの孔径より小径として、ブラシの摩耗粉を位置決め凹部１６ａに誘導できるように構成しても勿論よく、このようにすることにより、絶縁性のさらなる向上を図ることができる。
【００２５】
尚、沿面距離確保手段として、貫通孔に、ターミナルプレートの内径側端面のブラケット側の半部を覆う延出片を設ける場合に、延出片を、ターミナルプレート対応部位にのみ、貫通孔の内周面から内径側に突出するように形成する構成としてもよい。
【産業上の利用可能性】
【００２６】
本発明は、車両に搭載されるパワーステアリング装置等の電装品に用いられるブラシ式の電動モータに利用することができる。
【符号の説明】
【００２７】
１  電動モータ
２  ヨーク
５  アーマチュア
６  コンミテータ
７  ブラケット
７ｂ  軸受け部材
７ｉ  位置決め凹部
８  ブラシホルダユニット
８ａ  貫通孔
８ｂ  本体部
８ｈ  テーパ面
９  ブラシ保持体
１０  ターミナルプレート
１０ａ  ブラシ当接部
１０ｃ  内径側端面
１２  ブラシ
【図１】
2010288384.tif 000003
【図２】
2010288384.tif 000004
【図３】
2010288384.tif 000005
【図４】
2010288384.tif 000006
【図５】
2010288384.tif 000007
【図６】
2010288384.tif 000008